(57)【特許請求の範囲】
【請求項１】
制御装置によって制御され、前記制御装置における制御対象を識別するための識別子が付与される複数の電子機器が、前記制御装置に接続される電子機器制御システムにおける電子機器において、
前記制御装置から出力され識別子情報を含む制御信号が入力される制御信号入力部と、
複数のデータ入力信号が入力されるデータ入力部と、
前記複数の電子機器を一群の電子機器ごとに分けた複数のグループを選択する操作を受けつける操作部と、
前記電子機器を特定する前記識別子として、前記電子機器に唯一の第１識別子と、前記複数の電子機器により構成されるマルチディスプレイの中での配置関係に応じて前記操作部を介して選択された前記複数のグループをそれぞれ識別する複数の第２識別子と、を記憶する記憶部と、
前記制御装置から入力された前記制御信号に含まれる前記第１識別子および前記複数の第２識別子のうち少なくともいずれか一つが、前記記憶部に記憶されているか否かを判断する識別子判断部と、
前記識別子判断部によって、前記制御信号に含まれる前記第１識別子および前記複数の第２識別子のうち少なくともいずれか一つが前記記憶部から検出された場合、前記制御信号に基づき前記データ入力信号に応じた出力信号を生成する情報処理部とを備え、
前記制御信号入力部は、前記電子機器の前記識別子を特定する識別情報と、前記複数のデータ入力信号のうち一のデータ入力信号を特定するコマンド情報とを含む制御信号を前記制御装置から入力し、
前記情報処理部は、前記識別子判断部により検出された前記第１識別子及び前記複数の第２識別子のうち少なくともいずれか一つを含む前記制御信号に基づき、前記データ入力部が入力する前記複数のデータ入力信号のうち前記コマンド情報が特定する前記データ入力信号に応じた出力信号を生成することを特徴とする電子機器。
【請求項２】
表示部をさらに備え、
前記表示部は、前記操作の内容を表示する操作画面に、前記複数のグループを選択するための画像を表示することを特徴とする請求項１に記載の電子機器。
【請求項３】
前記表示部は、
前記出力信号に基づき、前記データ入力信号に応じた画像を表示することを特徴とする請求項２に記載の電子機器。
【請求項４】
制御装置によって制御され、前記制御装置における制御対象を識別するための識別子が付与される複数の電子機器が、前記制御装置に接続される電子機器制御システムにおいて、
前記制御装置は、
前記電子機器の前記識別子を特定する識別子情報を含む制御信号を前記電子機器に出力し、
前記電子機器は、
前記制御装置から出力され前記制御信号が入力される制御信号入力部と、
複数のデータ入力信号が入力されるデータ入力部と、
前記複数の電子機器を一群の電子機器ごとに分けた複数のグループを選択する操作を受けつける操作部と、
前記電子機器を特定する前記識別子として、前記電子機器に唯一の第１識別子と、前記複数の電子機器により構成されるマルチディスプレイの中での配置関係に応じて前記操作部を介して選択された前記複数のグループをそれぞれ識別する複数の第２識別子と、を記憶する記憶部と、
前記制御装置から入力された前記制御信号に含まれる前記第１識別子および前記複数の第２識別子のうち少なくともいずれか一つが、前記記憶部に記憶されているか否かを判断する識別子判断部と、
前記識別子判断部によって、前記制御信号に含まれる前記第１識別子および前記複数の第２識別子のうち少なくともいずれか一つが前記記憶部から検出された場合、前記制御信号に基づき前記データ入力信号に応じた出力信号を生成する情報処理部とを備え、
前記制御信号入力部は、前記電子機器の前記識別子を特定する識別情報と、前記複数のデータ入力信号のうち一のデータ入力信号を特定するコマンド情報とを含む制御信号を前記制御装置から入力し、
前記情報処理部は、前記識別子判断部により検出された前記第１識別子及び前記複数の第２識別子のうち少なくともいずれか一つを含む前記制御信号に基づき、前記データ入力部が入力する前記複数のデータ入力信号のうち前記コマンド情報が特定する前記データ入力信号に応じた出力信号を生成することを特徴とする電子機器制御システム。
【請求項５】
制御装置によって制御され、前記制御装置における制御対象を識別するための識別子が付与される複数の電子機器が、前記制御装置に接続される電子機器制御システムにおける電子機器制御方法において、
前記電子機器の操作部が、
前記複数の電子機器を一群の電子機器ごとに分けた複数のグループを選択する操作を受けつけ、
前記電子機器の記憶部が、
前記電子機器を特定する前記識別子として、前記電子機器に唯一の第１識別子と、前記複数の電子機器により構成されるマルチディスプレイの中での配置関係に応じて前記操作部を介して選択された前記複数のグループをそれぞれ識別する複数の第２識別子と、を記憶し、
前記電子機器の制御信号入力部が、
前記制御装置から出力された制御信号を入力し、
前記電子機器の識別子判断部が、
前記制御装置から入力された前記制御信号に含まれる前記第１識別子および前記複数の第２識別子のうち少なくともいずれか一つが、前記記憶部に記憶されているか否かを判断し、
前記電子機器の情報処理部が、
前記識別子判断部によって、前記制御信号に含まれる前記第１識別子および前記複数の第２識別子のうち少なくともいずれか一つが前記記憶部から検出された場合、前記制御信号に基づき、データ入力部から入力されたデータ入力信号に応じて、出力信号を生成し、
前記制御信号入力部が、
前記制御信号を入力する際、前記電子機器の前記識別子を特定する識別情報と、前記複数のデータ入力信号のうち一のデータ入力信号を特定するコマンド情報とを含む制御信号を前記制御装置から入力し、
前記情報処理部が、
前記出力信号を生成する際、前記識別子判断部により検出された前記第１識別子及び前記複数の第２識別子のうち少なくともいずれか一つを含む前記制御信号に基づき、前記データ入力部が入力する前記複数のデータ入力信号のうち前記コマンド情報が特定する前記データ入力信号に応じた出力信号を生成することを特徴とする電子機器制御方法。
【発明の詳細な説明】
【技術分野】
【０００１】
本発明は、制御装置によって制御され、制御装置における制御対象を識別するための識別子が付与される電子機器、電子機器制御システム、および電子機器制御方法に関する。
【背景技術】
【０００２】
複数の液晶ディスプレイで構成されるマルチディスプレイシステムであって、各液晶ディスプレイに、それぞれ異なる固有のＩＤ番号が付与され、このＩＤ番号に基づき各液晶ディスプレイを制御する技術がある（特許文献１参照）。
この特許文献１では、制御コマンド発行部が、各液晶ディスプレイのＩＤ番号が付与されたコマンドパケットを生成し、当該液晶ディスプレイに対して送信する。このような構成において、制御コマンド発行部は、液晶ディスプレイの数だけコマンドパケットを生成し、各液晶ディスプレイに出力する必要がある。
【先行技術文献】
【特許文献】
【０００３】
【特許文献１】特開２０００−３０５５５３号公報
【発明の概要】
【発明が解決しようとする課題】
【０００４】
しかしながら、このように、液晶ディスプレイの数だけコマンドパケットを生成し、液晶ディスプレイに送信しなければならないマルチディスプレイシステムにおいては、液晶ディスプレイの増加に伴い、コマンドパケットの数も増加する。このため、全ての液晶ディスプレイに対して、同タイミングにコマンドパケットを送信したい場合、制御装置によってコマンドパケットが生成され、全ての液晶ディスプレイに対して入力されるまでの時間（以下、制御時間という）が長くなり、各液晶ディスプレイが制御されるタイミングがずれる問題がある。これにより、各液晶ディスプレイに表示される画像がずれる等の不具合が生じる。
【０００５】
本発明は、このような事情を考慮し、上記の問題を解決すべくなされたものであって、その目的は、複数の電子機器を用いて構成される電子機器制御システムにおいて、各電子機器における制御時間を短縮する電子機器、電子機器制御システム、および電子機器制御方法を提供することにある。
【課題を解決するための手段】
【０００６】
上記問題を解決するために、本発明は、制御装置によって制御され、前記制御装置における制御対象を識別するための識別子が付与される複数の電子機器が、前記制御装置に接続される電子機器制御システムにおける電子機器において、前記制御装置から出力され識別子情報を含む制御信号が入力される制御信号入力部と、複数のデータ入力信号が入力されるデータ入力部と、前記複数の電子機器を一群の電子機器ごとに分けた複数のグループを選択する操作を受けつける操作部と、前記電子機器を特定する前記識別子として、前記電子機器に唯一の第１識別子と、前記複数の電子機器により構成されるマルチディスプレイの中での配置関係に応じて前記操作部を介して選択された前記複数のグループをそれぞれ識別する複数の第２識別子と、を記憶する記憶部と、前記制御装置から入力された前記制御信号に含まれる前記第１識別子および前記複数の第２識別子のうち少なくともいずれか一つが、前記記憶部に記憶されているか否かを判断する識別子判断部と、前記識別子判断部によって、前記制御信号に含まれる前記第１識別子および前記複数の第２識別子のうち少なくともいずれか一つが前記記憶部から検出された場合、前記制御信号に基づき前記データ入力信号に応じた出力信号を生成する情報処理部とを備え、前記制御信号入力部は、前記電子機器の前記識別子を特定する識別情報と、前記複数のデータ入力信号のうち一のデータ入力信号を特定するコマンド情報とを含む制御信号を前記制御装置から入力し、前記情報処理部は、前記識別子判断部により検出された前記第１識別子及び前記複数の第２識別子のうち少なくともいずれか一つを含む前記制御信号に基づき、前記データ入力部が入力する前記複数のデータ入力信号のうち前記コマンド情報が特定する前記データ入力信号に応じた出力信号を生成することを特徴とする電子機器である。
【発明の効果】
【０００７】
本発明によると、複数の電子機器を用いて構成される電子機器制御システムにおいて、各電子機器における制御時間を短縮し、各電子機器に対しての制御タイミングのずれを低減することができる。
【図面の簡単な説明】
【０００８】
【図１】本実施の形態に係る電子機器制御システムの一例を示すブロック図である。
【図２】図１に示す制御装置から出力される制御信号の一例を示す概略図である。
【図３】図１に示す電子機器の構成の一例を示す概略図である。
【図４】図１に示す複数の電子機器により構成されるマルチディスプレイの一例を示す概略図である。
【図５】図３に示す出力部に出力される操作画面の一例を示す概略図である。
【図６】本実施の形態に係る電子機器制御方法の一例を示すブロック図である。
【発明を実施するための形態】
【０００９】
次に、発明を実施するための最良の形態について図面を参照して詳細に説明する。
図１は、本実施の形態に係る電子機器制御システムの一例について示すブロック図である。また、図２は、図１に示す制御装置から出力される制御信号の一例を説明するための概略図である。
図１に示す通り、電子機器制御システム１００は、制御装置１と、複数の電子機器２１、２２、２３、２４、・・・、２９（２Ｎ）と、複数のデータ信号生成装置３１、３２、３３（３Ｍ）とを含む。
【００１０】
制御装置１は、複数の電子機器２Ｎを制御し、これら電子機器２Ｎに制御信号（コマンドパケット）を出力する。本実施の形態においては、制御装置１は、電子機器２１と制御信号バスＲ１を介して接続され、任意の電子機器２Ｎを制御対象として識別するための識別子情報を含むコマンドパケットを電子機器２１に出力する。
このコマンドパケットは、例えば、図２に示すような、ヘッダー情報と、コマンド情報と、チェックサム情報とを含むデータ構造であって、ヘッダー情報の一部に識別子情報を含む。
なお、詳細については後述するが、コマンド情報とは、任意の電子機器２Ｎに対して命令されるコマンド処理の内容と、コマンド処理がなされる対象であるデータ入力信号を特定する情報を含む。また、識別子情報とは、制御装置１の制御対象である任意の電子機器２Ｎを特定する識別子を表す情報であって、制御装置１が、コマンド処理をさせる電子機器２Ｎに予め設定されている複数の識別子に対応する識別子情報を生成し、ヘッダー情報に追記されている。
また、制御装置１は、制御信号バスＲ１を介して、通信可能に、電子機器２１と接続されており、電子機器２Ｎに固有の識別子と、これと異なる識別子に対応した識別子情報を含むコマンドパケットを送信するプロトコルに従って通信することができる。
【００１１】
複数の電子機器２Ｎは、制御装置１によって制御される制御対象であって、詳細については後述するが、１つまたは複数の識別子（ＩＤ番号）が設定される。本実施の形態において、電子機器２Ｎは、９つの同一の構成を有する電子機器であるが、本実施の形態に係る電子機器制御システムは、９つに限られない。
【００１２】
電子機器２１は、制御信号バスＲ１を介して制御装置１と接続され、コマンドパケットが入力される。また電子機器２１〜２９は、制御信号バス４を介してデイジーチェーンで接続されており、電子機器２１に入力されたコマンドパケットは、電子機器２１〜２９の全ての電子機器２Ｎにバケツリレー方式で転送される。
さらに、電子機器２１は、複数のデータ信号生成装置３１、３２、３３と、それぞれ、データ信号バスＲ２、Ｒ３、Ｒ４を介して接続され、データ信号生成装置３１、３２、３３から出力されるデータ入力信号Ｄａ、Ｄｂ、Ｄｃが入力される。また、電子機器２１、２２、２３、２４・・・２９は、データ信号バス５１、５２、５３を介してデイジーチェーンで接続されており、電子機器２１に入力されたデータ入力信号Ｄａ、Ｄｂ、Ｄｃは、それぞれ、データ信号バス５１、５２、５３を介して、後段に接続されている電子機器２２〜２９に順次転送される。
【００１３】
データ信号生成装置３Ｎは、データ入力信号として、コマンド処理される処理データを電子機器２１に出力する。本実施の形態において、データ信号生成部３Ｎは、画像情報であるデータ入力信号を出力する。
【００１４】
次に、図３〜５を用いて、電子機器２Ｎの構成について詳細に説明する。図３は、図１に示す電子機器２Ｎの構成の一例を示すブロック図である。図４は、複数の電子機器２Ｎにより構成されるマルチディスプレイの一例を示す概略図である。図５は、電子機器２Ｎの操作画面の一例を示す概略図である。
図３に示す通り、電子機器２Ｎは、主制御部２０１と、制御信号入力部２０２と、記憶部２０３と、識別子判断部２０４と、出力部２０５と、データ信号入力部２０６と、情報処理部２０７と、接続部２０８と、操作部２０９を含む。
【００１５】
主制御部２０１は、電子機器２Ｎを統括的に制御し、例えば、制御信号入力部２０２に入力されたコマンドパケットのうち、識別子情報を識別子判断部２０４に出力し、コマンド情報を情報処理部に出力するよう制御する。
制御信号入力部２０２は、制御装置１から出力されたコマンドパケットを入力する入力部である。電子機器２１では、制御装置１と接続される制御信号バスＲ１を介して、電子機器２２〜２９では、電子機器２１〜２８とそれぞれ接続される制御信号バス４を介して、コマンドパケットが入力される。制御信号入力部２０２は、コマンドパケットが入力されると、主制御部２０１の制御に従って、識別子情報を識別子判断部２０４に出力し、コマンド情報を情報処理部２０７に出力する。
【００１６】
記憶部２０３は、当該電子機器２Ｎの識別子として設定された、互いに異なる複数のＩＤ番号として、例えば、固有ＩＤ番号と、グループＩＤ番号とを記憶する。
固有ＩＤ番号とは、電子機器２Ｎごとに異なる唯一の識別子であって、電子機器２１〜２９に対して、それぞれ０１〜０９までの番号が付与される識別子である。固有ＩＤ番号は、例えば、電子機器２Ｎの製造工程において予め設定される識別子であって、ユーザによって変更できないシリアル番号等が利用可能である。
グループＩＤ番号とは、他の電子機器２Ｎと共通する識別子であって、例えば、操作部２０９を介してユーザによって設定される電子機器２Ｎの識別子である。すなわち、グループＩＤ番号とは、制御装置１が制御する一群の電子機器２Ｎを複数のグループに分け、それぞれのグループを識別する情報である。また、グループＩＤ番号は、例えば、グループＡ〜Ｆの属性を示すグループＩＤ番号Ａ〜Ｆからなり、ユーザによって設定されたグループＩＤ番号Ａ〜Ｆが、当該電子機器２Ｎの所属するグループを特定するグループＩＤ番号として、記憶部２０３に記憶される。
また、固有ＩＤ番号は、ユーザが任意に設定することが可能であるが、例えば、電子機器２Ｎの製造工程において予め設定される識別子であって、ユーザによって変更することができない番号も利用可能である。
【００１７】
図４に示す通り、本実施の形態において、電子機器２１にはグループＩＤ番号Ａ、Ｃ、Ｆが、電子機器２２にはグループＩＤ番号Ｂ、Ｃ、Ｆが、電子機器２３にはグループＩＤ番号Ａ、Ｃ、Ｆが、電子機器２４にはグループＩＤ番号Ｂ、Ｄが、電子機器２５にはグループＩＤ番号Ａ、Ｄが、電子機器２６にはグループＩＤ番号Ａ、Ｆ、Ｆが、電子機器２７にはグループＩＤ番号Ａ、Ｅ、Ｆが、電子機器２８にはグループＩＤ番号Ｂ、Ｅ、Ｆが、電子機器２９にはグループＩＤ番号Ａ、Ｅ、Ｆが、それぞれ設定されている。
すなわち、グループＡは、奇数の固有ＩＤ番号である電子機器２１、２３、２５、２７、２９を、グループＢは、偶数の固有ＩＤ番号である電子機器２２、２４、２６、２８を、グループＣは、マルチディスプレイ２１０の上部を構成する電子機器２１、２２、２３を、グループＤは、マルチディスプレイ２１０の中部を構成する電子機器２４、２５、２６を、グループＥは、マルチディスプレイ２１０の下部を構成する電子機器２７、２８、２９を、グループＦは、中央の電子機器２５の表示画面を除く、マルチディスプレイ２１０の周辺部を構成する電子機器２１〜２４、２６〜２９を、それぞれ含んでいる。このようにして、電子機器２Ｎにはそれぞれ固有ＩＤ番号が割り当てられている他、必要に応じてグループＩＤ番号が割り当てられている。このグループＩＤ番号は、１台の電子機器２Ｎに複数個が割り当てられる場合もある。
また、電子機器２１〜２９は、出力部２０５として、例えば、長方形の表示画面を備えるディスプレイ装置を備え、それぞれの表示画面が図４に示すように配置され、大きな長方形の画面を形成している。この大きな画面は、電子機器２１〜２９の出力部２０５の表示画面が、縦に３つ、横に３つ並べられ構成され、以下、マルチディスプレイ２１０という。
【００１８】
識別子判断部２０４は、制御信号入力部２０２から入力されたコマンドパケットに含まれる識別子情報を認識し、この識別子情報と対応する固有ＩＤ番号あるいはグループＩＤ番号が、記憶部２０３に記憶されているか否かを判断する。識別子判断部２０４は、識別子情報と対応する固有ＩＤ番号あるいはグループＩＤ番号を検出した場合、この固有ＩＤ番号あるいはグループＩＤ番号を、情報処理部２０７に出力する。
【００１９】
出力部２０５は、情報処理部２０７によって生成された出力信号が入力され、出力信号に応じた出力をする。出力部２０５は、例えば、液晶ディスプレイ等の表示部であって、データ入力信号として入力された画像情報に基づく画像を表示する。なお、出力部２０５は、液晶ディスプレイ以外であっても、例えば、音声を出力するスピーカーや、文字や映像を表示する表示画面、あるいはプリンター等であってもよい。
また、出力部２０５は、図５に示すような、操作部２０９に係る操作内容を表示する操作画面を表示する。図５に示す通り、操作画面には、固有ＩＤ番号が表示され、ユーザによって設定される電気機器２Ｎの所属するグループＡ〜Ｆを選択する画面が表示される。ユーザによって、操作部２０９を介して、操作画面のグループＡ〜Ｆのチェックボックスがチェックされることで、当該電子機器２ＮのグループＩＤ番号Ａ〜Ｆが設定される。設定されたグループＩＤ番号Ａ〜Ｆは、設定対称である電子機器２Ｎに付与された固有ＩＤ番号に対応付けて、記憶部２０３に記憶される。
【００２０】
データ信号入力部２０６は、データ信号生成装置３Ｍから出力されたデータ入力信号Ｄａ、Ｄｂ、Ｄｃを入力する入力部である。電子機器２１では、データ信号生成装置３Ｍと接続されるデータ信号バスＲ２、Ｒ３、Ｒ４を介して、電子機器２２〜２９では、電子機器２１〜２８とそれぞれ接続されるデータ信号バス５１〜５３を介して、データ信号入力部２０６にデータ入力信号Ｄａ、Ｄｂ、Ｄｃが入力される。
本実施の形態において、データ信号入力部２０６は、異なるデータ信号生成装置３１〜３３から出力される異なるデータ入力信号Ｄａ、Ｄｂ、Ｄｃが、それぞれ入力される複数のデータ信号入力部２０６Ａ、２０６Ｂ、２０６Ｃを含む。
【００２１】
情報処理部２０７は、制御信号入力部２０２からコマンドパケットのコマンド情報が入力され、識別子判断部２０４からコマンドパケットの識別子情報と対応する固有ＩＤ番号あるいはグループＩＤ番号が入力される。情報処置部２０７は、入力された固有ＩＤ番号あるいはグループＩＤ番号に基づき、対応するコマンド情報を解析する。この解析結果に従って、情報処理部２０７は、データ入力信号Ｄａ、Ｄｂ、あるいはＤｃを情報処理し、出力信号を生成し、出力部２０５に出力する。
【００２２】
接続部２０８は、制御信号バス４およびデータ信号バス５１〜５３を介して他の電子機器２Ｎと接続され、制御信号入力部２０２において入力したコマンドパケット、およびデータ信号入力部２０６において入力したデータ入力信号Ｄａ、Ｄｂ、Ｄｃを、接続される他の電子機器２Ｎに出力する。
例えば、制御信号入力部２０２が、入力されたコマンドパケットをコピーし、このコピーしたコマンドパケットを接続部２０８に出力し、データ信号入力部２０６が、入力されたデータ入力信号Ｄａ、Ｄｂ、Ｄｃをコピーし、このコピーしたデータ入力信号Ｄａ、Ｄｂ、Ｄｃを接続部２０８に出力する。接続部２０８は、制御信号入力部２０２およびデータ信号入力部２０６によってコピーされた入力信号を、他の電子機器２Ｎに出力する。
【００２３】
操作部２０９は、ユーザ等によって操作され、この操作内容を主制御部２０１に出力する。操作部２０９を介して、電子機器２ＮのグループＩＤ番号としてユーザによって設定されたグループＩＤ番号Ａ〜Ｆは、記憶部２０３に記憶される。
【００２４】
次に、図６を参照して、本実施の形態に係る電子機器制御方法について説明する。図６は、本実施の形態に係る電子機器制御方法の一例を示すフローチャートである。
【００２５】
図６に示す通り、制御装置１から、識別子情報をヘッダー情報に含むコマンドパケットが出力されると、制御信号バスＲ１を介して、電子機器２１の制御信号入力部２０２に入力される（ステップＳＴ１）。制御信号入力部２０２は、コマンドパケットのヘッダー情報に含まれる識別子情報を、識別子判断部２０４に出力し、コマンド情報を情報処理部２０７に出力する。
識別子判断部２０４は、入力された識別子情報と、記憶部２０３に記憶されている固有ＩＤ番号を比較し、一致するか否かを判断する（ステップＳＴ２）。識別子情報と固有ＩＤ番号が一致する場合（ステップＳＴ２−ＹＥＳ）、識別子判断部２０４は、固有ＩＤ番号を情報処理部２０７に出力する。これにより、情報処理部２０７は、固有ＩＤ番号に対応するコマンド情報を解析し、この解析結果に従って、例えば、データ入力信号Ｄａを情報処理（コマンド処理）する。そして、情報処理部２０７は、画像処理された出力信号を、出力部２０５に出力をする（ステップＳＴ３）。
【００２６】
一方、ステップＳＴ２において、識別子情報と固有ＩＤ番号が一致しない場合（ステップＳＴ２−ＮＯ）、識別子判断部２０４は、識別子情報とグループＩＤ番号Ａとを比較し、一致するか否かを判断する（ステップＳＴ４）。識別子情報とグループＩＤ番号Ａが一致する場合（ステップＳＴ４−ＹＥＳ）、識別子判断部２０４は、グループＩＤ番号Ａが、記憶部２０３に記憶されているか否かを判断する。すなわち、識別子判断部２０４は、グループＩＤ番号Ａが、当該電子機器２１において予め選択されており、グループＩＤ番号として設定されている識別子であるか否かを判断する（ステップＳＴ５）。
記憶部２０３にグループＩＤ番号Ａが記憶されている場合（ステップＳＴ５−ＹＥＳ）、ステップＳＴ３に移行して、識別子判断部２０４は、グループＩＤ番号Ａを情報処理装置２０７に出力する。そして情報処理部２０７は、グループＩＤ番号Ａに対応するコマンド情報を解析し、この解析結果に従って、例えば、データ入力信号Ｄｂをコマンド処理する。そして、情報処理部２０７は、画像処理された出力信号を、出力部２０５に出力をする（ステップＳＴ３）。
なお、ステップＳＴ５において、記憶部２０３にグループＩＤ番号Ａが記憶されていない場合（ステップＳＴ５−ＮＯ）、識別子判断部２０４は、グループＩＤ番号Ａに基づく判断を終了する。
【００２７】
一方、ステップＳＴ４において、識別子情報とグループＩＤ番号Ａが一致しない場合（ステップＳＴ４−ＮＯ）、識別子判断部２０４は、識別子情報とグループＩＤ番号Ｂとを比較し、一致するか否かを判断する（ステップＳＴ６）。識別子情報とグループＩＤ番号Ｂが一致する場合（ステップＳＴ６−ＹＥＳ）、識別子判断部２０４は、グループＩＤ番号Ｂが、記憶部２０３に記憶されているか否かを検出する。すなわち、識別子判断部２０４は、グループＩＤ番号Ｂが、当該電子機器２１において予め選択されており、グループＩＤ番号として設定されているか否かを判断する（ステップＳ７）。
記憶部２０３にグループＩＤ番号Ｂが記憶されている場合（ステップＳＴ７−ＹＥＳ）、ステップＳＴ３に移行して、識別子判断部２０４は、グループＩＤ番号Ｂを情報処理装置２０７に出力する。そして情報処理部２０７は、グループＩＤ番号Ｂに対応するコマンド情報を解析し、この解析結果に従って、例えば、データ入力信号Ｄｃをコマンド処理する。そして、情報処理部２０７は、画像処理された出力信号を、出力部２０５に出力をする（ステップＳＴ３）。
なお、ステップＳＴ７において、記憶部２０３にグループＩＤ番号Ｂが記憶されていない場合（ステップＳＴ７−ＮＯ）、識別子判断部２０４は、グループＩＤ番号Ｂに基づく判断を終了する。
【００２８】
このようにして、識別子判断部２０４は、コマンドパケットの識別子情報と、固有ＩＤ番号とを比較し、一致しなかった場合は、全てのグループＩＤ番号Ａ〜Ｆに対して、一致するか否かの判断と、一致した場合は、そのグループＩＤ番号が記憶部２０３に記憶されているか否かの判断を実行する。
よって、識別子判断部２０４は、識別子情報とグループＩＤ番号Ｆが一致するか否かを判断し（ステップＳＴ８）、一致する場合（ステップＳＴ８−ＹＥＳ）、さらに、グループＩＤ番号Ｆが記憶部２０３に記憶されているか否かを判断する（ステップＳＴ９）。記憶部２０３にグループＩＤ番号Ｆが記憶されている場合（ステップＳＴ９−ＹＥＳ）、ステップＳＴ３に移行して、識別子判断部２０４は、グループＩＤ番号Ｆを情報処理装置２０７に出力する。そして情報処理部２０７は、グループＩＤ番号Ｆに対応するコマンド情報を解析し、この解析結果に従って、例えば、データ入力信号Ｄｂをコマンド処理する。そして、情報処理部２０７は、画像処理された出力信号を、出力部２０５に出力をする（ステップＳＴ３）。
なお、ステップＳＴ８において、識別子情報とグループＩＤ番号Ｆとが一致しない場合（ステップＳＴ８−ＮＯ）、および、ステップＳＴ９において、記憶部２０３にグループＩＤ番号Ｆが記憶されていない場合（ステップＳＴ９−ＮＯ）は、識別子判断部２０４は、グループＩＤ番号Ｆに基づく判断を終了し、識別子情報を廃棄する。
【００２９】
上述の通り、本実施の形態に係る電子機器２Ｎは、電子機器２Ｎの識別子として設定された、互いに異なる複数の識別子を記憶する記憶部２０３と、制御装置１から入力されたコマンドパケットの識別子情報と対応する識別子が記憶部２０３に記憶されているか否かを検出する識別子判断部２０４と、識別子判断部２０４によって、識別子情報と一致する識別子が記憶部２０３に記憶されていると判断された場合、当該コマンドパケットのコマンド情報を解析し、解析結果に従って、当該識別子を含むデータ入力信号に対してコマンド処理を実行する画像処理部とを備える。
この構成により、本実施の形態に係る各電子機器２Ｎは、複数の識別子が設定可能であり、これら設定された複数の識別子に応じて、制御装置１に対する複数の制御対象となり得る。また、各電子機器２Ｎは、自身に設定されている異なる識別子を判断し、この識別子と対応する識別子情報を含むコマンドパケットのコマンド処理を実行することができる。
例えば、ある識別子を含むコマンドパケットのコマンド情報に従って、電子機器２１が、コマンド情報において指示されているデータ入力信号Ｄａにコマンド処理を実行している。この状態において、他の識別子であって、電子機器２１の記憶部２０３に記憶されている識別子を含むコマンドパケットのコマンド情報に、データ入力信号Ｄｂのコマンド処理が指示されている場合、電子機器２１は、データ入力信号Ｄａに基づくコマンド処理から、データ入力信号Ｄｂに基づくコマンド処理に切り替えることができる。
【００３０】
これにより、本実施の形態に係る複数の電子機器２Ｎによって電子機器制御システムが構成された場合、制御装置１は、同じ識別子情報と同じコマンド情報とを有するコマンドパケットを出力する電子機器２Ｎに対して、1つのコマンドパケットを出力すれば足りる。
例えば、図４に示すマルチディスプレイ２１０において、中央部分の画面に対してデータ入力信号Ｄａに基づく画像を表示させ、その周囲の画面全てにおいてデータ入力信号Ｄｂに基づく画像を表示させる場合、制御装置１は、固有ＩＤ番号０５を識別子情報として含むコマンドパケットＣＰ１と、グループＩＤ番号Ｆを識別子情報として含むコマンドパケットＣＰ２との２つを出力する。
これにより、電子機器２５は、コマンドパケットＣＰ１が入力されることで、コマンドパケットＣＰ１の識別子情報と、記憶部２０３に記憶されている固有ＩＤ番号０５とを比較し、これらが一致しているため、データ入力信号Ｄａに基づく画像を出力部２０５に表示することができる。また、電子機器２１〜２４、２６〜２９は、コマンドパケットＣＰ２が入力されることで、コマンドパケットＣＰ２の識別子情報と、記憶部２０３に記憶されているグループＩＤ番号Ｆとを比較し、これらが一致しているため、データ入力信号Ｄｂに基づく画像を出力部２０５に表示することができる。なお、電子機器２５は、コマンドパケットＣＰ２が入力されても、グループＩＤ番号Ｆが設定されていないため、コマンドパケットＣＰ２に従ってコマンド処理を実行することはない。
つまり、コマンドパケットの数（２つ）を、出力先である電子機器２Ｎの数（９つ）よりも少なくすることができ、同タイミングで出力される複数のコマンドパケットを生成する際に発生するタイムラグを低減させることができる。また、同時タイミングで各電子機器２Ｎを制御するために全て電子機器２Ｎに出力されるコマンドパケットが、全ての電子機器２Ｎに入力するまでにかかる制御時間を短縮することができ、制御タイミングのずれを低減することができる。
これにより、マルチディスプレイ２１０に表示される各画面における画像表示の表示ズレを防止し、マルチディスプレイ２１０の画像を表示する際の同期性が向上される。
【００３１】
また、上述の通り、本実施の形態に係る電子機器２Ｎは、記憶部２０３に記憶される複数の識別子として、電子機器に唯一の固有ＩＤ番号と、他の電子機器２Ｎと共通するグループＩＤ番号Ａ〜Ｆとを有する。この構成により、本実施の形態に係る電子機器２Ｎは、同一のグループＩＤ番号が設定されている他の電子機器とともに、１つのグループを構成することができる。よって、制御装置１は、複数の電子機器２Ｎからなるグループごとに、同じ識別子情報と同じコマンド情報を含む同一のコマンドパケットを出力すればよく、電子機器の数に比べて少ない制御信号で足りる。
さらに、上述の通り、複数のグループＩＤ番号Ａ〜Ｆを各電子機器２Ｎに設定可能とすることにより、マルチディスプレイ２１０は、複数のグループＡ〜Ｆを構成することができる。制御装置１は、グループＡとグループＢに対するコマンドパケットを同時に出力することにより、マルチディスプレイ２１０では、市松模様（すなわち、２つの色やイメージを交互に配した格子模様の一種）の異なる画像を出力することができる。
また、制御装置１は、グループＣ〜Ｅに対するコマンドパケットを同時に出力することにより、マルチディスプレイ２１０の上部、中部、下部において異なる画像を出力することができる。
【００３２】
また、電子機器２Ｎに付与される複数の識別子として、固有ＩＤ番号と、グループＩＤ番号とを利用することにより、マルチディスプレイ２１０のように複数の電子機器を利用する場合、固有ＩＤ番号のみを有する電子機器を含むことができる。さらに、電子機器制御システムの制御装置１として、固有ＩＤ番号に対応する識別子情報しかコマンドパケットとして出力できない制御装置を利用することができる。
【００３３】
なお、本実施の形態において、制御装置１は、ヘッダーに含まれる識別子情報として、固有ＩＤ番号０１〜０９およびグループＩＤ番号Ａ〜Ｆのいずれか1つを含むコマンドパケットを、電子機器２Ｎに出力する構成を例に説明した。
しかし本発明はこれに限られず、例えば、ヘッダーに含まれる識別子情報として固有ＩＤ番号０１〜０９を含むコマンドパケットを電子機器２Ｎに送信する第１のプロトコルＰと、ヘッダーに含まれる識別子情報としてグループＩＤ番号Ａ〜Ｆを含むコマンドパケットを電子機器２Ｎに送信する第２のプロトコルＰ’を利用する制御装置１であってもよい。
この場合、第２のプロトコルＰ’は、第１のプロトコルＰに則っており、識別子情報の部分の解釈を拡大しただけの上位互換（ upper compatibility ）である。これにより、第１のプロトコルＰのみを利用する電子機器に、第２のプロトコルＰ’に基づくコマンドパケットが入力された場合であっても、当該電子機器は、第２のプロトコルＰ’に基づくコマンドパケットの識別子情報を認識し、コマンド解析およびコマンド処理を実行することができる。よって、当該電子機器における制御信号を入力するための第１のプロトコルＰを変更する必要がない。また、制御装置１において、第２のプロトコルＰ’に基づくコマンドパケットを作成する場合、第１のプロトコルＰにおいて固有ＩＤ番号を記載するヘッダー部分はそのままに、この固有ＩＤ番号が記載される範囲の一部をグループＩＤ番号の記載される部分（例えば、１バイトの後半のＦ０ｈ〜ＦＦｈ）を割り当てることができる。これにより、第１のプロトコルＰのみを利用する電子機においても、グループＩＤ番号を含めた複数の識別子を付与し、異なる識別子情報が指定されるコマンドパケットでの制御を適用することができる。
【００３４】
また、本実施の形態において、電子機器制御システム１００は、1つの制御装置１によって制御される例について説明したが、本発明はこれに限られず、例えば、複数の制御装置が電子機器２Ｎと接続される構成であってもよい。
この場合、グループＩＤ番号を制御装置ごとにわけ、例えば、第１の制御装置においては、グループＩＤ番号１Ａ〜１Ｚ、第２の制御装置においては、グループＩＤ番号２Ａ〜２Ｚと分けることで、電子機器２Ｎが制御装置を識別することができる。つまり、記憶部２０３に、予め、グループＩＤ番号に対応する制御装置を示す情報を記憶させておく。そして、識別子判断部２０４によって検出された、識別子情報と一致する固有ＩＤ番号あるいはグループＩＤ番号を情報処理部２０７に出力する。これにより、情報処理部２０７は、記憶部２０３に記憶されているグループＩＤ番号に対応する制御装置を示す情報を参照して、制御装置ごとに異なるコマンド処理を実行することができる。
【００３５】
さらに、制御装置１を含まない電子機器制御システム１００において、各電子機器２Ｎが、制御信号バス４とデータ信号バス５１〜５３を介してそれぞれ接続されることにより、各電子機器２Ｎ同士が、それぞれを固有ＩＤ番号で認識し、マスターとなる電子機器において、他の電子機器が制御される場合がある。この場合、マスターとなる電子機器は、他の電子機器を当該マスターの電子機器に従属的な電子機器であるとする識別子として、グループＩＤ番号を利用することができる。
【００３６】
また、この電子機器２Ｎがネットワークを介して接続され、接続された他の電子機器２Ｎを互いに認識することができる場合がある。この場合、当該電子機器２Ｎは、他の電子機器２Ｎとの間で認識する際の識別子として、グループＩＤ番号を利用し、このネットワークで接続されている電子機器２Ｎを1つのネットワークグループとすることができる。このとき、電子機器２Ｎは、他の電子機器２Ｎを認識した際に、主制御部２０１がネットワークグループにおけるグループＩＤ番号を選択し、記憶部２０３に記憶することができる。
【００３７】
さらに、本実施の形態において、電子機器２Ｎは、固有ＩＤ番号とグループＩＤ番号とを含む複数の識別子が記憶部２０３に記憶される例を用いて説明したが、本発明はこれに限られず、複数の識別子が記憶されている構成であればよい。よって、電子機器２Ｎを識別するための識別子として、例えば、複数の電子機器のうち、任意の２つの電子機器に対して共通の識別子が付与され、その他の３つの電子機器に対して共通の識別子が付与されるような固有ＩＤ番号を利用することができる。
【００３８】
また、制御信号バスＲ１は、例えば、ＲＳ−２３２Ｃ等のインターフェースや、ＵＳＢなどのシリアル通信、ＬＡＮ（Local area network）、赤外線通信等を利用して、コマンドパケットを電子機器２Ｎに出力することができる。
【００３９】
さらに、本実施の形態において、識別子判断部２０４は、識別子情報に対応する固有ＩＤ番号あるいはグループＩＤ番号が記憶部２０３から検出された場合は、この固有ＩＤ番号あるいはグループＩＤ番号を情報処理部２０７に出力する。情報処理部２０７は、入力された固有ＩＤ番号あるいはグループＩＤ番号に基づき、対応するコマンド情報を解析する、と説明したが、本発明はこれに限られない。例えば、識別子判断部２０４は、対応する固有ＩＤ番号あるいはグループＩＤ番号が検出された場合、当該電子機器が、当該識別子情報に対応する電子機器であることを判断し、コマンド情報のコマンド処理の実行を許可するコマンド処理実行信号を生成し、情報処理部２０７に出力する。情報処理部２０７は、制御信号入力部２０２から入力されたコマンド情報のうち、入力されたコマンド処理実行信号と対応するコマンド情報を解析し、コマンド処理を実行する。
【符号の説明】
【００４０】
１  制御装置
２Ｎ  電子機器
３Ｍ  データ信号生成装置
４  制御信号バス
５１〜５３  データ信号バス
２０１  主制御部
２０２  制御信号入力部
２０３  記憶部
２０４  識別子判断部
２０５  出力部
２０６  データ信号入力部
２０７  情報処理部
２０８  接続部
２０９  操作部
２１０  マルチディスプレイ
【図１】
0005704664.tif 000002
【図２】
0005704664.tif 000003
【図３】
0005704664.tif 000004
【図４】
0005704664.tif 000005
【図５】
0005704664.tif 000006
【図６】
0005704664.tif 000007